(57)【要約】      （修正有）【課題】ケース本体に収容した一升瓶の銘柄を簡単かつ迅速に特定することができる収容ケースを提供する。【解決手段】一升瓶を６本収容する合成樹脂製のケース本体１０を有する収容ケース１であり、ケース本体１０に、略矩形状の底板１１と、この底板１１の各辺より上方に起立する４つの起立壁１２〜１５と、を設け、上方に開口する開口部１７から各一升瓶をそれぞれ出し入れ可能に収容させている。そして、各起立壁のうちの第１及び第２起立壁１２、１３に、各一升瓶の銘柄を特定するプレート状の銘板４を取り外し可能に取り付ける取付部３を設けている。【選択図】図１
0003228600.tif 000002
【実用新案登録請求の範囲】
【請求項１】
容器を複数収容する合成樹脂製のケース本体を有する収容ケースであって、
前記ケース本体は、略矩形状の底板と、この底板の各辺より上方に起立する４つの起立壁と、を備え、上方に開口する開口部から前記複数の容器がそれぞれ出し入れ可能に収容されており、
前記各起立壁のうちの少なくとも１つには、前記各容器の内容を特定するプレート状の銘板を取り外し可能に取り付ける取付部が設けられていることを特徴とする収容ケース。
【請求項２】
前記取付部は、
前記銘板の周囲複数箇所より前記取付部への取付方向に向かって突出する複数の突片の先端に設けられた係止爪を係脱自在に係合させる係合部を備え、
前記取付部に対する前記銘板の取付方向への押圧によって前記各係止爪が前記各係合部に係合する一方、
前記各係合部に対する前記各係止爪の係合解除によって前記銘板が前記取付け部より離脱するようになっている請求項１に記載の収容ケース。
【請求項３】
前記銘板は、横長略矩形状に形成され、
前記取付部は、前記銘板をその外周囲に沿った状態で覆う略矩形枠状の凹部を有し、
前記凹部の底面には、前記銘板の互いに対向する２辺よりそれぞれ突出する突片先端の係止爪をそれぞれ縁に対し係脱自在に係合させる孔状の係合部が開口している請求項２に記載の収容ケース。
【考案の詳細な説明】
【技術分野】
【０００１】
本考案は、容器などを複数収容することが可能な収容ケースに関する。
【背景技術】
【０００２】
従来より、この種の収容ケースとしては、飲料用などの容器を複数収容するケース本体を有し、ケース本体は、略矩形状の底板と、この底板の各辺より上方に起立する４つの起立壁と、を備え、上方に開口する開口部から複数の容器がそれぞれ出し入れ可能に収容されている（特許文献１参照）。また、このようなケース本体は、合成樹脂により成形されることがあり、複数段積層された状態で荷積み可能とされている。
【先行技術文献】
【特許文献】
【０００３】
【特許文献１】意匠登録第４３２６４１号公報
【考案の概要】
【考案が解決しようとする課題】
【０００４】
ところで、このような収容ケースは、その周囲が４つの起立壁によって囲まれている上、形状自体も非常に似通っているため、荷積みされていると、収容した容器の内容を直ぐに特定することができない。
【０００５】
本考案は、かかる点に鑑みてなされたものであり、その目的とするところは、ケース本体に収容した容器の内容を簡単かつ迅速に特定することができる収容ケースを提供することにある。
【課題を解決するための手段】
【０００６】
前記目的を達成するため、本考案では、容器を複数収容する合成樹脂製のケース本体を有する収容ケースを前提とし、前記ケース本体に、略矩形状の底板と、この底板の各辺より上方に起立する４つの起立壁と、を設け、上方に開口する開口部から前記複数の容器をそれぞれ出し入れ可能に収容させている。そして、前記各起立壁のうちの少なくとも１つに、前記各容器の内容を特定するプレート状の銘板を取り外し可能に取り付ける取付部を設けることを特徴としている。
【０００７】
また、前記取付部に、前記銘板の周囲複数箇所より前記取付部への取付方向に向かって突出する複数の突片の先端に設けられた係止爪を係脱自在に係合させる係合部を設ける。そして、前記取付部に対する前記銘板の取付方向への押圧によって前記各係止爪を前記各係合部に係合させる一方、前記各係合部に対する前記各係止爪の係合解除によって前記銘板を前記取付け部より離脱させるようにしていてもよい。
【０００８】
更に、前記銘板を、横長略矩形状に形成し、前記取付部に、前記銘板をその外周囲に沿った状態で覆う略矩形枠状の凹部を設ける。そして、前記凹部の底面に、前記銘板の互いに対向する２辺よりそれぞれ突出する突片先端の係止爪をそれぞれ縁に対し係脱自在に係合させる孔状の係合部を開口させていてもよい。
【考案の効果】
【０００９】
以上、要するに、ケース本体の各起立壁のうちの少なくとも１つの起立壁に設けた取付部に、当該ケース本体に収容した容器の内容を特定する銘板を取り外し可能に取り付けることで、周囲が各起立壁によって囲まれかつ形状自体も非常に似通ったケース本体が荷積みされていたとしても、銘板を見れば、収容した容器の内容を直ぐに特定することができる。
【００１０】
更に、ケース本体から飲料の容器を取り出して容器の内容を確認する必要がなくなり、ケース本体に収容した容器の内容を特定する確認作業を簡単かつ迅速に行えて、運搬する際の輸送効率を飛躍的に向上させることもできる。
【００１１】
しかも、ケース本体の起立壁の取付部に対し銘板を取り外し可能に取り付けていることにより、ケース本体に収容する容器の内容に応じて銘板を取り変えることも可能となり、銘板によってケース本体に収容した容器の内容の確認作業を簡単かつ迅速に行うことができる。
【００１２】
また、取付部に複数の係合部を設け、銘板の周囲複数箇所より突出する突片先端の係止爪を係脱自在に係合させる一方、ケース本体内からの各係合部に対する各係止爪の係合解除によって銘板を離脱させるようにすることで、取付部の係合部に対する係止爪の係脱自在な係合によって銘板の取り外しが簡単かつ迅速に行え、銘板の取り外し作業を効率よく行うことができる。
【００１３】
更に、略矩形枠状の銘板をその外周囲に沿った状態で覆う取付部の凹部の底面に、銘板の互いに対向する２辺より突出する突片先端の係止爪をそれぞれ縁に対し係脱自在に係合させる係合部を開口させることで、銘板が取付部の凹部の外周囲に沿った状態で覆われて不慮に外れたりすることが効果的に防止され、銘板としての機能を十分に発揮することができる。
【図面の簡単な説明】
【００１４】
【図１】本考案の第１の実施の形態に係る収容ケースを斜め上方から見た斜視図である。
【図２】図１の収容ケースを斜め下方から見た斜視図である。
【図３】図１の収容ケースを前方から見た正面図である。
【図４】図１の収容ケースを右側方から見た右側面図である。
【図５】図１の収容ケースを上方から見た平面図である。
【図６】図１の収容ケースを下方から見た底面図である。
【図７】図５のＡ−Ａ線で切断した断面図である。
【図８】図５のＢ−Ｂ線で切断した断面図である。
【図９】図３のＣ−Ｃ線で切断した断面図である。
【図１０】図１の収容ケースから銘板を外した状態で斜め上方から見た斜視図である。
【図１１】図２の収容ケースから銘板を外した状態で斜め下方から見た斜視図である。
【図１２】図１の収容ケースの銘板を前方から見た正面図である。
【図１３】図１２のＤ−Ｄ線で切断した断面図である。
【図１４】図１２の銘板を斜め前方から見た斜視図である。
【図１５】本考案の第２の実施の形態に係る収容ケースを斜め上方から見た斜視図である。
【図１６】図１５の収容ケースを斜め下方から見た斜視図である。
【図１７】図１５の収容ケースを前方から見た正面図である。
【図１８】図１５の収容ケースを右側方から見た右側面図である。
【図１９】図１５の収容ケースを上方から見た平面図である。
【図２０】図１５の収容ケースを下方から見た底面図である。
【図２１】図１９のＥ−Ｅ線で切断した断面図である。
【図２２】図１９のＦ−Ｆ線で切断した断面図である。
【図２３】図１７のＧ−Ｇ線で切断した断面図である。
【図２４】図１５の収容ケースから銘板を外した状態で斜め上方から見た斜視図である。
【図２５】図１６の収容ケースから銘板を外した状態で斜め下方から見た斜視図である。
【考案を実施するための形態】
【００１５】
以下、本考案の実施の形態に係る収容ケースを図面に基づいて説明する。
【００１６】
図１は本考案の第１の実施の形態に係る収容ケースを斜め上方から見た斜視図、図２は図１の収容ケースを斜め下方から見た斜視図をそれぞれ示している。また、図３は図１の収容ケースを前方から見た正面図、図４は図１の収容ケースを右側方から見た右側面図をそれぞれ示している。更に、図５は図１の収容ケースを上方から見た平面図、図６は図１の収容ケースを下方から見た底面図をそれぞれ示している。
【００１７】
図１〜図６に示すように、収容ケース１は、図示しない容器としての一升瓶を６本収容可能な一升瓶用ケースである。この収容ケース１は、ポリプロピレンなどの合成樹脂により成形されたケース本体１０を備えている。そして、収容ケース１は、図示しない固定側金型（キャビティ）と可動側金型（コア）との間の隙間に、溶融させたポリプロピレンをゲートより圧力をかけて流し込むことで、ポリプロピレンの樹脂成形体からなる合成樹脂製のケース本体１０が製造され、冷えて固化した後に固定側金型及び可動側金型から取り出される。
【００１８】
ケース本体１０は、略矩形状の底板１１と、この底板１１の各辺より上方に起立する４つの第１〜第４起立壁１２〜１５と、底板１１の４隅より立設され、各起立壁１２〜１５の周方向両端をそれぞれ支持する支柱１６，１６，…とを有し、上方に開口する開口部１７から複数の一升瓶をそれぞれ出し入れ可能に収容している。底板１１には、その長辺を３つに区画する２枚の区画壁１８，１８が立設されている一方、短辺を２つに区画する１枚の区画壁１９が立設されている。各区画壁１８，１９は、各起立壁１２〜１５及び各支柱１６の略三分の二の長さに設定され、ケース本体１０内を６つのスペースに区画することで、６本の一升瓶が互いに非接触な状態で収容されるようにしている。この場合、底板１１、各起立壁１２〜１５及び各支柱１６はケース本体１０として一体に成形され、各区画壁１８，１９もケース本体１０に一体に成形されている。
【００１９】
また、各起立壁１２〜１５の上端は、各支柱１６の上端と一体化された厚肉な枠体状に形成され、収容ケース１を持つ際の持手枠２１として機能している。更に、各起立壁１２〜１５は、当該各起立壁１２〜１５を上下に３分割するように略水平方向へ延びる上下の水平リブ２２，２２がそれぞれ一体に設けられている。この上下の水平リブ２２，２２は、互いに略平行に向き合った状態で対面している。また、各支柱１６の左右両端には、上下方向へ延びる垂直リブ２３，２３が一体に設けられている。そして、互いに相隣なる支柱１６，１６の各垂直リブ２３，２３同士は、互いに略平行に向き合った状態で対面している。この場合、底板１１には周縁部を残して下方に突出する突出部２６を有し、この突出部２６を持手枠２１の内側に挿通させることで、複数の収容ケース１，１，…の積層を可能にしている。
【００２０】
図７は図５のＡ−Ａ線で切断した断面図、図８は図５のＢ−Ｂ線で切断した断面図、図９は図３のＣ−Ｃ線で切断した断面図をそれぞれ示している。図７〜図９に示すように、各起立壁１２〜１５のうち、互いに対面する第１及び第２起立壁１２，１３は、上側の水平リブ２２よりも上側の分割部分及び下側の水平リブ２２よりも下側の分割部分の一部が開口している一方、上下の水平リブ２２，２２に囲まれた中央の分割部分（一部）の内側端（各区画壁１８，１９側端）が面材２４によって閉塞されている。
【００２１】
また、互いに対面する第３及び第４起立壁１４，１５は、上側の水平リブ２２よりも上側の分割部分及び上下の水平リブ２２，２２に囲まれた中央の分割部分の一部が開口している一方、下側の水平リブ２２よりも下側の分割部分の内側端が面材２４によって閉塞されている。そして、第１及び第２起立壁１２，１３の中央の分割部分には、取付部３，３がそれぞれ設けられている。この各取付部３には、ケース本体１０に収容される各一升瓶の内容、たとえば銘柄を特定する横長略矩形状の銘板４，４が取り外し可能に取り付けられている。
【００２２】
各取付部３は、上下の水平リブ２２，２２と、第１及び第２起立壁１２，１３を挟んで向き合う各支柱１６の垂直リブ２３，２３とで囲まれ、かつ面材２４によって内側端が閉塞された横長略矩形枠状の凹部に形成されている。各銘板４は、取付部３に対しその底部の面材２４に当接した状態で取り付けられ、当該銘板４の外周囲が上下の水平リブ２２，２２及び各支柱１６の垂直リブ２３，２３に沿った状態で覆われるようになっている。
【００２３】
図１０は図１の収容ケース１から銘板４を外した状態で斜め上方から見た斜視図、図１１は図２の収容ケース１から銘板４を外した状態で斜め下方から見た斜視図をそれぞれ示している。また、図１２は図１の収容ケース１の銘板４を前方から見た正面図、図１３は図１２のＤ−Ｄ線で切断した断面図、図１４は図１２の銘板４を斜め前方から見た斜視図をそれぞれ示している。
【００２４】
図１０〜図１４にも示すように、各取付部３には、その底部の長手方向両端（左右両端）にそれぞれ対応する面材２４の各対応位置において開口する縦長略矩形状の係合孔３１，３１（係合部）が設けられている。また、各銘板４には、その長手方向両端（左右両端）より取付部３への取付方向（面材２４側）に向かって突出する左右一対の突片４１，４１が設けられている。この各突片４１は、各取付部３の係合孔３１に挿通可能な縦長略矩形状に形成され、その先端に係止爪４２が設けられている。
【００２５】
各突片４１の係止爪４２は、各突片４１の先端より外方(支柱１６側)に膨出し、各取付部３の係合孔３１を介して各支柱１６の垂直リブ２３の裏面に係止されることで、各銘板４を取付部３に取り付けるようにしている。この場合、各突片４１の係止爪４２は、各取付部３の係合孔３１を介して第１及び第２起立壁１２，１３の裏面に露出しており、第１及び第２起立壁１２，１３の裏面より互いに係合孔３１の縁から離反する方向（各支柱１６の垂直リブ２３から離反する方向）へ手で移動させると、係合孔３１に対して係合解除され、銘板４を離脱させることが可能となる。
【００２６】
したがって、本実施の形態では、ケース本体１０の各起立壁１２〜１５のうちの第１及び第２起立壁１２，１３に設けた取付部３に、当該ケース本体１０に収容される各一升瓶の内容、たとえば銘柄を特定する横長略矩形状の銘板４が取り外し可能に取り付けられている。これにより、周囲が各起立壁１２〜１５によって囲まれかつ形状自体も非常に似通ったケース本体１０が荷積みされていたとしても、銘板４を見れば、収容した各一升瓶の銘柄を直ぐに特定することができる。
【００２７】
更に、ケース本体１０から一升瓶を取り出して銘柄を確認する必要がなくなり、ケース本体１０に収容した各一升瓶の銘柄を特定する確認作業を簡単かつ迅速に行えて、運搬する際の輸送効率を飛躍的に向上させることができる。
【００２８】
しかも、ケース本体１０の第１及び第２起立壁１２，１３の取付部３に対し銘板４がそれぞれ取り外し可能に取り付けられていることにより、ケース本体１０に収容する一升瓶の銘柄に応じて銘板４を取り変えることも可能となり、銘板４によってケース本体１０に収容した一升瓶の銘柄の確認作業を簡単かつ迅速に行うことができる。
【００２９】
更に、略矩形枠状の銘板４をその外周囲に沿った状態で覆う各取付部３の底部の左右両端にそれぞれ対応する面材２４の各対応位置において開口する縦長略矩形状の係合孔３１，３１（係合部）が設けられている一方、各銘板４の左右両端より面材２４側に向かって突出する左右一対の突片４１，４１が設けられ、この各突片４１の先端より外方に膨出する係止爪４２が、各取付部３の係合孔３１を介して各支柱１６の垂直リブ２３の裏面に係止されている。このため、各突片４１の係止爪４２が各取付部３の係合孔３１を介して第１及び第２起立壁１２，１３の裏面に露出しており、第１及び第２起立壁１２，１３の裏面より互いに係合孔３１の縁から離反する方向へ各突片４１を手で移動させると、係合孔３１に対して係止爪４２が係合解除され、銘板４を離脱させることが可能となる。これにより、取付部３の各係合部３１に対する各突片４１の係合爪４２の係脱自在な係合によって銘板４の取り外しが簡単かつ迅速に行え、銘板４の取り外し作業を効率よく行うことができる。
【００３０】
しかも、各取付部３が、上下の水平リブ２２，２２と第１及び第２起立壁１２，１３を挟んで向き合う各支柱１６の垂直リブ２３，２３とで囲まれ、かつ面材２４によって内側端が閉塞された横長略矩形枠状の凹部に形成されている一方、各銘板４が、取付部３に対しその底部の面材２４に当接した状態で取り付けられ、当該各銘板４の外周囲が上下の水平リブ２２，２２及び各支柱１６の垂直リブ２３，２３に沿った状態で覆われている。これにより、各銘板４が不慮に外れたりすることが効果的に防止され、銘板４としての機能を十分に発揮することができる。
【００３１】
次に、本考案の第２の実施の形態を図面に基づいて説明する。
【００３２】
この実施の形態では、収容ケースの構成を変更している。なお、前記第１の実施の形態と同一の部分については同じ符号を付してその詳細な説明は省略する。
【００３３】
図１５は本考案の第２の実施の形態に係る収容ケースを斜め上方から見た斜視図、図１６は図１５の収容ケースを斜め下方から見た斜視図、図１７は図１５の収容ケースを前方から見た正面図をそれぞれ示している。また、図１８は図１５の収容ケースを右側方から見た右側面図、図１９は図１５の収容ケースを上方から見た平面図、図２０は図１５の収容ケースを下方から見た底面図をそれぞれ示している。
【００３４】
すなわち、本実施の形態では、図１５〜図２０に示すように、収容ケース５は、図示しない容器としてのビール瓶を２０本収容可能なビール瓶用ケースである。この収容ケース５は、ポリプロピレンなどの合成樹脂により成形されたケース本体５０を備えている。そして、収容ケース５は、図示しない固定側金型（キャビティ）と可動側金型（コア）との間の隙間に、溶融させたポリプロピレンをゲートより圧力をかけて流し込むことで、ポリプロピレンの樹脂成形体からなる合成樹脂製のケース本体５０が製造され、冷えて固化した後に固定側金型及び可動側金型から取り出される。
【００３５】
ケース本体５０は、略矩形状の底板５１と、この底板５１の各辺より上方に起立する４つの第１〜第４起立壁５２〜５５と、底板５１の４隅より立設され、各起立壁５２〜５５の周方向両端をそれぞれ支持する支柱５６，５６，…とを有し、上方に開口する開口部５７から複数のビール瓶をそれぞれ出し入れ可能に収容している。底板５１には、その長辺を５つに区画する４枚の区画壁５８，５８，…が立設されている一方、短辺を４つに区画する３枚の区画壁５９，５９，５９が立設されている。各区画壁５８，５９は、各起立壁５２〜５５及び各支柱５６の略半分弱の長さに設定され、ケース本体５０内を２０のスペースに区画することで、２０本のビール瓶が互いに非接触な状態で収容されるようにしている。この場合、底板５１、各起立壁５２〜５５及び各支柱５６はケース本体５０として一体に成形され、各区画壁５８，５９もケース本体５０に一体に成形されている。
【００３６】
また、各起立壁５２〜５５の上端は、各支柱５６の上端と一体化された厚肉な枠体状に形成され、収容ケース５を持つ際の持手枠６１として機能している。更に、各起立壁５２〜５５は、当該各起立壁５２〜５５を上下に２分割するように略水平方向へ延びる水平リブ６２が一体に設けられている。また、底板５１には、水平リブ６２と対面する水平リブ６３が設けられ、当該両リブ６２，６３は、互いに略平行に向き合った状態で対面している。また、各支柱５６の左右両端には、上下方向へ延びる垂直リブ６４，６４が一体に設けられている。そして、互いに相隣なる支柱５６，５６の各垂直リブ６４，６４同士は、互いに略平行に向き合った状態で対面している。この場合、底板５１には周縁部を残して下方に突出する突出部６６を有し、この突出部６６を持手枠６１の内側に挿通させることで、複数の収容ケース５，５，…の積層を可能にしている。
【００３７】
図２１は図１９のＥ−Ｅ線で切断した断面図、図２２は図１９のＦ−Ｆ線で切断した断面図、図２３は図１７のＧ−Ｇ線で切断した断面図をそれぞれ示している。図２１〜図２３に示すように、各起立壁５２〜５５は、上側の水平リブ６２よりも上側の分割部分がそれぞれ開口している一方、上側の水平リブ６２よりも下側の分割部分（一部）の内側端（各区画壁５８，５９側端）がそれぞれ面材６５によって閉塞されている。
【００３８】
また、第１及び第２起立壁５２，５３の上側の分割部分には、取付部３，３がそれぞれ設けられている。この各取付部３には、ケース本体５０に収容される各ビール瓶の内容、たとえば銘柄を特定する横長略矩形状の銘板４，４が取り外し可能に取り付けられている。
【００３９】
各取付部３は、上下の水平リブ６２，６３と、第１及び第２起立壁５２，５３を挟んで向き合う各支柱５６の垂直リブ６４，６４とで囲まれ、かつ面材６５によって内側端が閉塞された横長略矩形枠状の凹部に形成されている。各銘板４は、取付部３に対しその底部の面材６５に当接した状態で取り付けられ、当該銘板４の外周囲が上下の水平リブ６２，６３及び各支柱５６の垂直リブ６４，６４に沿った状態で覆われるようになっている。
【００４０】
図２４は図１５の収容ケース５から銘板４を外した状態で斜め上方から見た斜視図、図２５は図１６の収容ケース５から銘板４を外した状態で斜め下方から見た斜視図をそれぞれ示している。この図２４及び図２５にも示すように、各取付部３には、その底部の長手方向両端（左右両端）にそれぞれ対応する面材６５の各対応位置において開口する縦長略矩形状の係合孔３１，３１（係合部）が設けられている。また、各銘板４には、その長手方向両端（左右両端）より取付部３への取付方向（面材６５側）に向かって突出する左右一対の突片４１，４１が設けられている。この各突片４１は、各取付部３の係合孔３１に挿通可能な縦長略矩形状に形成され、その先端に係止爪４２が設けられている。
【００４１】
各突片４１の係止爪４２は、各突片４１の先端より外方(支柱５６側)に膨出し、各取付部３の係合孔３１を介して各支柱５６の垂直リブ６４の裏面に係止されることで、各銘板４を取付部３に取り付けるようにしている。この場合、各突片４１の係止爪４２は、各取付部３の係合孔３１を介して第１及び第２起立壁５２，５３の裏面に露出しており、第１及び第２起立壁５２，５３の裏面より互いに係合孔３１の縁から離反する方向（各支柱５６の垂直リブ６４から離反する方向）へ手で移動させると、係合孔３１に対して係合解除され、銘板４を離脱させることが可能となる。
【００４２】
したがって、本実施の形態では、ケース本体５０の各起立壁５２〜５５のうちの第１及び第２起立壁５２，５３に設けた取付部３に、当該ケース本体５０に収容される各ビール瓶の内容、たとえば銘柄を特定する横長略矩形状の銘板４が取り外し可能に取り付けられている。これにより、周囲が各起立壁５２〜５５によって囲まれかつ形状自体も非常に似通ったケース本体５０が荷積みされていたとしても、銘板４を見れば、収容した各ビール瓶の銘柄を直ぐに特定することができる。
【００４３】
なお、本考案は、前記各実施の形態に限定されるものではなく、その他種々の変形例を包含している。例えば、前記各実施の形態では、収容ケース１，５を、一升瓶やビール瓶を収容可能な一升瓶用ケース又はビール瓶用ケースとしたが、容器としてのジュースや調味料などを複数本収容可能な収容ケースであればなんでもよい。
【００４４】
更に、ミニチュアサイズの一升瓶用ケース又はビール瓶用ケースなどを模した収容ケースであってもよい。その場合、一升瓶用ケースを模した収容ケースは、縦方向の寸法が約３８ｍｍに、横方向の寸法が約５５ｍｍに、高さ方向の寸法が５９ｍｍにそれぞれ設定されている。また、ビール瓶ケースを模した収容ケースは、縦方向の寸法が約５０ｍｍに、横方向の寸法が約６０ｍｍに、高さ方向の寸法が３８ｍｍにそれぞれ設定されている。このとき、銘板によって一升瓶用ケース又はビール瓶用ケースに収容される物品としてのミニチュアサイズの一升瓶又はビールの銘柄を特定することが可能となる。
【００４５】
また、前記各実施の形態では、ケース本体１０，５０の各起立壁１２〜１５，５２〜５５のうちの第１及び第２起立壁１２，１３，５２，５３に設けた取付部３に銘板４を取り外し可能に取り付けたが、ケース本体の各起立壁のうちの少なくとも１つの起立壁に設けた取付部に銘板が取り外し可能に取り付けられていればよく、各起立壁のうちの３つ又は全ての起立壁に設けた取付部に銘板がそれぞれ取り外し可能に取り付けられていてもよい。
【００４６】
また、前記各実施の形態では、各銘板４の外周囲を上下の水平リブ２２，２２（又は６２，６３）及び各支柱１６(又は５６)の垂直リブ２３(又は６４)に沿った状態で覆ったが、銘板の外周囲がリブによって覆われていなくてもよい。
【００４７】
更に、前記各実施の形態では、銘板４の左右両端より突出する左右一対の突片４１，４１の先端に外方に膨出する係止爪４２を設けたが、各突片の先端に内方に膨出する係止爪を設け、各取付部の係合孔を介してその縁（面材の裏面）に係止されていてもよい。また、銘板の上下両端より突出する上下一対の突片の先端に外方に膨出する係止爪を設け、各取付部の上下の係合孔を介してその縁（上下の水平リブの裏面）に係止されていてもよい。
【００４８】
また、前記各実施の形態では、ケース本体１０，５０をポリプロピレンなどの合成樹脂により成形したが、ポリエチレンなどの合成樹脂により成形されていてもよい。
【符号の説明】
【００４９】
１          収容ケース
１０        ケース本体
１１        底板
１２〜１５  起立壁
１７        開口部
３          取付部
４          銘板
３１        係合孔（係合部）
４１        突片
４２        係止爪
５          収容ケース
５０        ケース本体
５１        底板
５２〜５５  起立壁
５７        開口部
【図１】
0003228600.tif 000003
【図２】
0003228600.tif 000004
【図３】
0003228600.tif 000005
【図４】
0003228600.tif 000006
【図５】
0003228600.tif 000007
【図６】
0003228600.tif 000008
【図７】
0003228600.tif 000009
【図８】
0003228600.tif 000010
【図９】
0003228600.tif 000011
【図１０】
0003228600.tif 000012
【図１１】
0003228600.tif 000013
【図１２】
0003228600.tif 000014
【図１３】
0003228600.tif 000015
【図１４】
0003228600.tif 000016
【図１５】
0003228600.tif 000017
【図１６】
0003228600.tif 000018
【図１７】
0003228600.tif 000019
【図１８】
0003228600.tif 000020
【図１９】
0003228600.tif 000021
【図２０】
0003228600.tif 000022
【図２１】
0003228600.tif 000023
【図２２】
0003228600.tif 000024
【図２３】
0003228600.tif 000025
【図２４】
0003228600.tif 000026
【図２５】
0003228600.tif 000027